(57)【要約】【課題】作業の工程を少なくして作業の手間を減らすことにより、作業時間を大幅に短縮するとともに、作業に用いる装置も大掛かりな装置になることなく、単純な装置で行えるようにし、作業のコストを抑える。【解決手段】長手方向に延在する複数の長孔１０を備え、複数の長孔１０にそれぞれ連通した開口部１５を、長孔１０の延在方向において互いに間隔を空けて設けるとともに、非通水性の材料で形成された板状の地下水採取ボード１を、地盤中に設置する第１工程と、地盤中に設置した地下水採取ボード１の長孔１０に連通した開口部１５より地下水を長孔１０内に流入させて、所定の深度毎の地下水を採取する第２工程と、を有する地下水の採水方法である。【選択図】図１
2019152045.tif 000002
【特許請求の範囲】
【請求項１】
地盤中の所定の深度の地下水を採取する地下水の採水方法であって、
長手方向に延在する複数の長孔を備え、複数の長孔にそれぞれ連通した開口部を、長孔の延在方向において互いに間隔を空けて設けるとともに、非通水性の材料で形成された板状の地下水採取ボードを、地盤中に設置する第１工程と、
地盤中に設置した地下水採取ボードの長孔に連通した開口部より地下水を長孔内に流入させて、所定の深度毎の地下水を採取する第２工程と、を有することを特徴とする地下水の採水方法。
【請求項２】
請求項１に記載された地下水の採水方法において、
地下水採取ボードの長孔に連通した開口部に、地盤中の土砂の流入を防止するフィルターが配置されることを特徴とする地下水の採水方法。
【請求項３】
請求項２に記載された地下水の採水方法において、
フィルターは、不織布であることを特徴とする地下水の採水方法。
【発明の詳細な説明】
【技術分野】
【０００１】
本発明は、地盤の環境調査のために、地盤中の所定の深度の地下水を採取する地下水の採水方法に関する。
【背景技術】
【０００２】
近年、土木工事現場や建設工事現場及びその周辺、工場や廃棄物処理場及びその周辺などにおいて、地盤の環境調査が行われている。
地盤の環境調査では、例えば、地下水の汚染状況を把握するために、地盤中の地下水を採取して、地下水の水質検査を行っている。
【０００３】
図１１は、従来の地下水の採水方法を説明する概略図である。
従来、地盤中の所定の深度の地下水を採取する地下水の採水方法は、図示のように、ボーリングマシーンやオーガーなどにより地盤に地下水採取用の孔５１を掘削する。孔５１を掘削したのち、孔５１の内壁の崩壊を防ぐための円筒管５２を孔５１内に嵌入する。円筒管５２には、その内部に地下水が流入するための流入孔５３を所定の間隔を空けて複数設けている。これにより、異なる深度の地下水が、複数の流入孔５３より円筒管５２の内部に流入する。
【０００４】
続いて、孔５１内に採水装置５５を設置する。採水装置５５は、先端に取水口５６を備えた長さの異なる複数（ここでは３個）の採取管５７と、吸水により膨張する複数（ここでは３個）の区画用シール材５８とを有する。区画用シール材５８は、長さの異なる複数の採取管５７の先端の取水口５６が、それぞれの深度毎の地下水を採取できるようにするために、複数の採取管５７の取水口５６の間に配置される。
【０００５】
孔５１内に設置した採水装置５５では、円筒管５２の流入孔５３より内部に流入してきた地下水により、区画用シール材５８が膨張する。膨張した区画用シール材５８は、円筒管５２の内面に密接して、水（地下水）を通さなくする。これにより、孔５１内は、区画用シール材５８によって所定の深度毎に区画（ここでは３つに区画）される。
【０００６】
但し、採水装置５５において、ポンプ（図示せず）により、各採取管５７の取水口５６より地下水をそれぞれ採取する際に、区画用シール材５８が膨張して円筒管５２の内面に密接するまでは、孔５１内が完全に区画されないことから、円筒管５２の内部に流入した地下水が混じりあう。そのために、最初に採取した地下水を、すべて捨てる必要があった。地下水を捨てた後、孔５１内が区画用シール材５８により完全に区画された状態になってから流入してきた新たな地下水を、各採取管５７の取水口５６よりそれぞれ採取する。これにより、それぞれの深度毎の地下水を採取することができる（特許文献１参照）。
【０００７】
しかしながら、従来の地下水の採水方法では、地盤に地下水採取用の孔５１を掘削する工程、掘削した孔５１内に円筒管５２を嵌入する工程、孔５１の内部に採水装置５５を設置する工程、それから所定の深度毎の地下水を採取する工程、さらには地下水を採取するときに最初に採取した地下水を捨てる工程というように多数の工程が必要になる。そのため、作業に手間がかかり、作業時間が大幅に増大してしまうという問題がある。また、採水装置５５なども大掛かりな装置になることで、作業コストが非常に高くなるという問題がある。
【先行技術文献】
【特許文献】
【０００８】
【特許文献１】特開平８−２２６１４３号公報
【発明の概要】
【発明が解決しようとする課題】
【０００９】
本発明は、このような問題に鑑みてなされたものであって、その目的は、工程を従来の採水方法よりも少なくして作業の手間を減らすことで、作業時間を大幅に短縮するとともに、作業に用いる装置も単純な装置で行えるようにすることで、作業のコストを抑えることのできる地下水の採水方法を提供することである。
【課題を解決するための手段】
【００１０】
本発明は、長手方向に延在する複数の長孔を備え、複数の長孔にそれぞれ連通した開口部を、長孔の延在方向において互いに間隔を空けて設けるとともに、非通水性の材料で形成された板状の地下水採取ボードを、地盤中に設置する第１工程と、地盤中に設置した地下水採取ボードの長孔に連通した開口部より地下水を長孔内に流入させて、所定の深度毎の地下水を採取する第２工程と、を有する地下水の採水方法である。
【発明の効果】
【００１１】
本発明によれば、複数の長孔を備える板状の地下水採取ボードを地盤中に設置する第１工程と、地下水採取ボードを用いて所定の深度毎の地下水を採取する第２工程の２つの工程によって、地盤中の所定の深度毎の地下水を的確に採取することができ、これにより、作業の工程を少なくして、作業時間の大幅な短縮を図ることができる。また、作業に用いる装置も、複数の長孔を備える板状の地下水採取ボードという極めて単純な構造のものを用いることで、装置自体を安価にして、作業のコストを抑えることができる。
【図面の簡単な説明】
【００１２】
【図１】本発明の地下水の採水方法において用いる地下水採取ボードを設置した状態の斜視図である。
【図２】図２Ａは、地下水採取ボードの正面図であり、図２Ｂは、地下水採取ボードの側面図である。
【図３】図３Ａは、図２ＡのＡ−Ａ断面図であり、図３Ｂは、図３ＡのＢ部の拡大図である。
【図４】別の遮断部材の斜視図である。
【図５】ボード挿入管の斜視図である。
【図６】ボード挿入管の拡大した上面図である。
【図７】図７Ａは、建設機械にボード挿入管及び地下水採取ボードを取り付けた状態を示す図であり、図７Ｂは、建設機械でボード挿入管及び地下水採取ボードを地盤中に挿入した状態を示す図であり、図７Ｃは、ボード挿入管を引き抜いて地盤中に地下水採取ボードを設置した状態を示す図である。
【図８】ボード挿入管を引き抜く際の材料の投入状態を示す図であり、図８Ａは、ボード挿入管の引き抜き初期の段階で、未だ地下水採取ボードの開口部が露出していない状態を示す図であり、図８Ｂは、ボード挿入管を引き抜いて地下水採取ボードの開口部が露出した状態を示す図である。
【図９】図９Ａは、ボード挿入管を図８Ｂの状態よりもさらに引き抜いた状態を示す図であり、図９Ｂは、材料投入後の状態を示す図である。
【図１０】図１０Ａは、ボード挿入管を引き抜いて地盤中に地盤注入材を噴射した状態を示す図であり、図１０Ｂは、ボード挿入管をさらに引き抜いて地盤中に地盤注入材を噴射した状態を示す図である。
【図１１】従来の地下水の採水方法を説明する概略図である。
【発明を実施するための形態】
【００１３】
本発明の地下水の採水方法の一実施形態について、図面を参照して説明する。
本実施形態に係る地下水の採水方法（以下、単に本採水方法という）は、長手方向に延在する複数の長孔を備える板状の地下水採取ボードを地盤中に設置し、地下水採取ボードの長孔内に地下水を流入して吸い上げることにより、地盤中の所定の深度毎の地下水を採取する方法である。ここでは、複数の異なる深度の地下水を採取する例で説明するが、深度は必ずしも複数に限られるものではなく、１ヶ所の深度の地下水を採取するようにしてもよい。また、地下水採取ボードの地盤中への設置は、ボード挿入管を用いて行われる。
【００１４】
図１は、本採水方法において用いる地下水採取ボード１を設置した状態の斜視図である。図２Ａは、地下水採取ボード１の正面図、図２Ｂは、地下水採取ボード１の正面図である。図３Ａは、図２ＡのＡ−Ａ断面図、図３Ｂは、図３ＡのＢ部の拡大図である。
地下水採取ボード１は、図１に示すように、剛性が低くかつ非通水性の材料で形成された細長い板状で、その長手方向に延在する複数の長孔１０を板厚内に備えている。ここで、剛性が低くかつ非通水性の材料は、例えば、ポリオレフィン樹脂である。ポリオレフィン樹脂は、ポリエチレン（ＰＥ）、ポリプロピレン（ＰＰ）などが挙げられる。ただし、これに限定されるものではない。
【００１５】
具体的には、地下水採取ボード１は、図２Ａ、図２Ｂ、図３Ａ、図３Ｂに示すように、横幅方向（図２Ａ及び図３Ａでの左右方向）に断面が凹凸状になるポリオレフィン樹脂製の芯材１１と、芯材１１の表裏面（図３Ａにおける上下に断面で示す）側を挟持して一体化するポリオレフィン樹脂製のシート材１２からなる。芯材１１及びシート材１２は、その長手方向に延在する。
なお、芯材１１及びシート材１２の延在方向（長手方向）は、芯材１１及びシート材１２の横幅方向と直交する縦方向（図２Ａ及び図２Ｂでの上下方向）である。
【００１６】
地下水採取ボード１は、全体として細長い板状であり、断面が凹凸状の芯材１１とその両側のシート材１２により区画されることで、板厚内にその長手方向に延在する長孔１０を横幅方向に沿って複数備える。ここでは複数の長孔１０の数は６個であるが、数はこれに限定されない。
地下水採取ボード１において、横幅方向の寸法（図２Ａにおいて左右方向に示す）は３〜１５ｃｍ程度、板厚の寸法（図２Ｂにおいて左右方向に示す）は０．５〜２ｃｍ程度である。ただし、寸法は、これに限定されるものではない。
なお、地下水採取ボード１は、その先端において折り返して、そこにアンカー１４を取り付けている。
【００１７】
地下水採取ボード１には、図２Ａに示すように、各長孔１０に連通する地下水流入用の開口部１５をそれぞれ設ける。
開口部１５は、地下水採取ボード１を構成する断面凹凸状の芯材１１の凹状部ではシート材１２に、また、芯材１１の凸状部ではその凸状部とシート材１２の両方に穴を空けることで形成される。開口部１５は、図３Ｂに示すように、芯材１１及びシート材１２の地下水採取ボード１の表裏面側のいずれか一方の面に設けられ、長孔１０内に地下水を流入可能にする。ただし、開口部１５は、これに限定されるものではなく、芯材１１及びシート材１２の両方の面に設けるようにしてもよい。
【００１８】
開口部１５には、図３Ａ、図３Ｂに示すように、フィルター１３を配置する。フィルター１３は、不織布であって、開口部１５に貼着する。不織布は、安価な材料であるため、地下水採取ボード１のコストの削減を図ることができる。ただし、フィルター１３は不織布に限定されない。これにより、長孔１０内に地下水を流入する際に、長孔１０内に地盤中の土砂等が流入するのをフィルター１３で防止し、地下水のみが流入する。
【００１９】
開口部１５は、地下水採取ボード１に備えた複数の長孔１０毎に設ける。例えば、１つの長孔１０に連通した開口部１５を１つ設ける。このとき、各長孔１０に連通した開口部１５は、地下水採取ボード１の長手方向に所定の間隔を空けて設ける。即ち、複数の長孔１０にそれぞれ連通した開口部１５は、長孔１０の延在方向において互いに間隔を空けて設けている。
また、複数の長孔１０にそれぞれ連通した開口部１５は、地下水採取ボード１を地盤中に設置したときに、それぞれの地下水の深度に合うような所定の位置に設ける。これにより、複数の異なる深度毎の地下水を的確に採取することができる。なお、地下水の深度は、事前に行う適宜の地盤調査にて把握することができる。
【００２０】
長孔１０内には、図２Ａに示すように、長孔１０内を長手方向（図２Ａでの上下方向）で遮断する遮断部材１７を設ける。遮断部材１７は、その形状を長孔１０の断面形状に合わせた四角柱状にし、長孔１０内において、開口部１５を設けた箇所の下側に長孔１０内を塞ぐように嵌入する。これにより、長孔１０内では、例えば、遮断部材１７によって下端より流入した地下水などが遮られて、開口部１５より流入した地下水のみが流れる。
【００２１】
図４Ａは、別の遮断部材１７の斜視図、図４Ｂも、別の遮断部材１７の斜視図である。
遮断部材１７は、前記の部材に限定されるものではない。例えば、遮断部材１７は、図４Ａに示すように、底面部４１と、底面部４１の左右に立設する両側面部４２とからＵ字状の箱型にしたもの、あるいは、図４Ｂに示すように、底面部４１と、底面部４１の左右に立設する両側面部４２と、底面部４１の後側（図４Ｂで示す奥側）に立設する後面部４３とから箱型にしたものでもよい。この場合、遮断部材１７は、開口部１５より長孔１０内に嵌入し、必要に応じて接着剤等で長孔１０内に固着して、長孔１０内を塞ぐ。また、箱型の遮断部材１７では、その内部にフィルター１３（不織布）を配置することも可能で、それにより、開口部１５へのフィルター１３の貼着を不要にして、地下水採取ボード１を容易に製作できる。
【００２２】
図５は、ボード挿入管２の斜視図である。図６は、ボード挿入管２の拡大した上面図である。
ボード挿入管２は、図５、図６に示すように縦長の長方形筒状で、その内部に、細長い板状の地下水採取ボード１を縦向きに収容するため、上下端を開放して出し入れ口２１、２２が形成されている。ボード挿入管２の内部に地下水採取ボード１を収容したとき、地下水採取ボード１は、その先端（下端）の折り返しがボード挿入管２の下端の出し入れ口２２より飛び出し、その部分に取り付けたアンカー１４（図２に示す）がボード挿入管２の下端の出し入れ口２２に掛止される。
【００２３】
ボード挿入管２には、その左右の両側に材料投入管２３をそれぞれ取り付ける（材料投入管２３の数は２つ）。ここでの左右方向（図６での左右方向）とは、地下水採取ボード１の横幅方向に相当する。なお、材料投入管２３のボード挿入管２への取り付け位置は、これに限定されない。また、取り付ける材料投入管２３の数も２つに限定されない。
材料投入管２３は、縦長のボード挿入管２に沿うように縦に延びる円筒状の管であり、その下端を材料投入のための投入口２４にするとともに、上端に材料供給機（図示せず）の供給ホース２６を接続する。
【００２４】
次に、地下水採取ボード１を用いた本採水方法について説明する。
本採水方法は、長手方向に延在する複数の長孔１０を備え、複数の長孔１０にそれぞれ連通した開口部１５を長孔１０の延在方向において互いに間隔を空けて設けるとともに、非通水性の材料で形成された板状の地下水採取ボード１を地盤中に設置する第１工程と、地盤中に設置した地下水採取ボード１の長孔１０に連通した開口部１５より地下水を長孔１０内に流入させて、所定の深度毎の地下水を採取する第２工程と、を有する。
【００２５】
（第１工程）
第１工程では、地下水を採取するための地下水採取ボード１を地盤中に設置する作業を行う。
地下水採取ボード１を設置する作業は、内部に地下水採取ボード１が収容可能なボード挿入管２と、ボード挿入管２の地盤中への挿入又は引き抜きを行う機械を用いて行われる。機械は、例えば、建設機械３である。ただし、機械は、建設機械３に限定されない。
【００２６】
図７Ａは、建設機械３にボード挿入管２及び地下水採取ボード１を取り付けた状態を示す図、図７Ｂは、建設機械３でボード挿入管２及び地下水採取ボード１を地盤中に挿入した状態を示す図、図７Ｃは、ボード挿入管２を引き抜いて地盤中に地下水採取ボード１を設置した状態を示す図である。
建設機械３は、図７Ａに示すように、運転席を備えた自走可能な機体３１を有し、機体３１にブーム３２を装着して、ブーム３２の先端にアタッチメント３３を有する。建設機械３の先端のアタッチメント３３には、内部に地下水採取ボード１を収容したボード挿入管２が取り付けられる。
続いて、図７Ｂに示すように、建設機械３でボード挿入管２を地下水採取ボード１とともに地盤中の所定の深度まで挿入する。
【００２７】
次に、ボード挿入管２及び地下水採取ボード１を挿入した後、図７Ｃに示すように、建設機械３でボード挿入管２を引き抜く。このとき、ボード挿入管２は地下水採取ボード１の先端に取り付けたアンカー１４から離れるため、地下水採取ボード１がボード挿入管２とともに引き抜かれることがなく、地盤中に地下水採取ボード１のみが残置されて、地盤中に地下水採取ボード１が設置される。
【００２８】
また、ボード挿入管２を引き抜く際は、地盤中からボード挿入管２が引き抜かれることで、地下水採取ボード１と地盤の間（ボード挿入管２があった部分）に隙間ができるが、この隙間には、材料を投入する。材料の投入は、ボード挿入管２に取り付けた材料投入管２３を用いて行う。材料投入管２３は、材料供給機（図示せず）から材料が供給され、その内部を通って下端の投入口２４より材料が隙間に投入される。
【００２９】
投入する材料は、遮水性材料と透水性材料Ｐの二種類である。遮水性材料は、ベントナイトＢである。ベントナイトＢは、水と接触すると膨張して固化し、固化した状態では水を通すことなく遮るようになる。ただし、遮水性材料は、ベントナイトＢに限定されない。透水性材料Ｐは、例えば、砂や礫、人工ドレーン材などであり、水を通すものである。ただし、透水性材料Ｐも、これらに限定されない。
【００３０】
図８は、ボード挿入管２を引き抜く際の材料の投入状態を示す図であり、図８Ａは、ボード挿入管２の引き抜き初期の段階で、未だ地下水採取ボード１の開口部１５が露出していない状態を示し、図８Ｂは、ボード挿入管２を引き抜いて地下水採取ボード１の開口部１５が露出した状態を示す。図９Ａは、ボード挿入管２を図８Ｂの状態よりもさらに引き抜いた状態を示す図であり、図９Ｂは、材料投入後の状態を示す図である。
材料の投入は、ボード挿入管２を引き抜く際、図８Ａに示すように、最初にボード挿入管２を所定の高さ引き抜くとともに、材料投入管２３の投入口２４より、引き抜いたボード挿入管２分のベントナイトＢ（遮水性材料）を投入して、隙間を埋める。
【００３１】
次に、図８Ｂに示すように、地下水採取ボード１における開口部１５を設けた箇所では、材料投入管２３の投入口２４より、引き抜いたボード挿入管２分の透水性材料Ｐを投入して、隙間を埋める。
続いて、図９Ａに示すように、地下水採取ボード１における開口部１５を設けていない箇所（上下に位置する２つの開口部１５の間）では、材料投入管２３の投入口２４より、引き抜いたボード挿入管２分のベントナイトＢを投入して、隙間を埋める。これを繰り返して、図９Ｂに示すように、例えば、地表面まで、ベントナイトＢと透水性材料Ｐの二種類の材料を交互に投入する。
【００３２】
これにより、地下水採取ボード１における開口部１５を設けた箇所には、投入した透水性材料Ｐの層が形成される。また、地下水採取ボード１における上下に位置する２つの開口部１５の間には、投入したベントナイトＢの層が形成され、ベントナイトＢの層によって、地下水（水）の通りぬけを防ぐことができ、深度の異なる地下水が混じり合うのを防止する。従って、所定の深度毎に区画することができ、それぞれの深度毎の地下水を、地下水採取ボード１に備えた各長孔１０内に開口部１５より流入できるようにしている。
【００３３】
第１工程では、建設機械によって、内部に地下水採取ボード１を収容したボード挿入管２を地盤中に挿入し、挿入後、ボード挿入管２だけを引き抜いて、地盤中に地下水採取ボード１のみを残置して設置している。このことから、地下水採取ボード１の設置は、建設機械によるボード挿入管２の挿入及び引き抜きという極めて簡単な作業で行うことができ、これにより、地下水採取ボード１を効率よく設置できる。
【００３４】
（第２工程）
第２工程では、地盤中に設置した地下水採取ボード１により地盤中の所定の深度の地下水（複数の異なる深度の地下水）を採取する作業を行う。
地盤中の所定の深度の地下水を採取する作業は、第１工程で地盤中に設置した地下水採取ボード１において、各長孔１０に連通した開口部１５より複数の異なる深度の地下水を各長孔１０内にそれぞれ流入する。次に、図１に示すように、地盤中に設置した地下水採取ボード１の各長孔１０に、吸水ポンプ（図示せず）に接続した複数の吸水ホース１６をそれぞれ上部から挿入する。続いて、吸水ポンプを用いて、地下水採取ボード１の各長孔１０内に流入した地下水を長孔１０を通して上方に吸い上げて、吸水ホース１６を通して地上のタンク（図示せず）に集めて、地下水を採取する。
【００３５】
地下水を採取するときは、複数の異なる深度の地下水を、地下水採取ボード１に備えた複数の長孔１０によって別々に吸い上げる。続いて、地下水採取ボード１において別々に吸い上げた地下水を、地上のタンクに分けて集めることで、複数の異なる深度の地下水を別々に採取できるようにする。
【００３６】
以上説明したように、本採水方法によれば、複数の長孔１０を備える板状の地下水採取ボード１を地盤中に設置する第１工程と、地下水採取ボード１を用いて所定の深度毎の地下水を採取する第２工程の２つの工程によって、地盤中の所定の深度毎の地下水を的確に採取することができる。これにより、作業の工程を少なくして、作業の手間を減らすことにより、作業時間の大幅な短縮を図ることができる。また、作業に用いる装置も、従来のような円筒管や採水装置などの大掛かりな装置ではなく、複数の長孔を備える板状の地下水採取ボード１という極めて単純な構造のものを用いることで、装置自体を安価にして、作業のコストを抑えることができる。
【００３７】
また、地下水採取ボード１は、剛性が低くかつ非通水性の材料であるポリオレフィン樹脂で形成されていることから、接続や切断などの加工が極めて容易である。そのことから、例えば、地下水採取ボード１において、その長手方向に切断して横幅方向の寸法を変更するなどの加工を容易に施すことができ、それぞれの現場に応じた最適な地下水採取ボード１を提供することができる。
【００３８】
また、前述の第１工程において、深度の異なる地下水が混じり合うのを防止するために、地盤中からボード挿入管２を引き抜く際、地下水採取ボード１と地盤の間にできた隙間に、二種類の材料（遮水性材料と透水性材料Ｐ）を交互に投入し、所定の深度毎に区画して、それぞれの深度毎の地下水を採取していたが、この所定の深度毎に区画する方法を別の方法で行うようにしてもよい。
【００３９】
深度の異なる地下水が混じり合うのを防止するために地盤中において所定の深度毎に区画する別の方法について説明する。
なお、ここでは、前述の地下水の層が細かく分かれて存在するのではなく、例えば、上下に１つ又は２つの地下水の層が存在している場合である。
ここで用いるボード挿入管２は、前述のボード挿入管２と同様、縦長の長方形筒状で、その内部に地下水採取ボード１を縦向きに収容可能にするものであるが、ボード挿入管２の左右の両側には材料投入管２３を取り付けない。
また、地盤中に投入する材料は一種類である。投入する材料は、地盤注入材Ｔである。地盤注入材Ｔは、セメントミルク、ベントナイト、その他の材料、あるいはこれらを混合した材料である。
地盤注入材Ｔは、地下水採取ボード１の複数の長孔１２のうちの例えば２つを使用する。即ち、地下水採取ボード１の２つの長孔１２内に地盤注入材Ｔを流し、長孔１２に連通した開口部１５から地盤中に地盤注入材Ｔを噴射する。なお、その他の長孔１２及び開口部１５は、第２工程での地下水の採取に使用する。
【００４０】
図１０Ａは、ボード挿入管２を引き抜いて地盤中に地盤注入材Ｔを噴射した状態を示す図、図１０Ｂは、ボード挿入管２をさらに引き抜いて地盤中に地盤注入材Ｔを噴射した状態を示す図である。
地盤注入材Ｔの噴射は、ボード挿入管２を引き抜く際、図１０Ａに示すように、所定の開口部１５（２つの開口部１５のうちの下側の開口部１５）の上までボード挿入管２を引き抜いたときに、開口部１５から地盤中に地盤注入材Ｔを噴射する。地盤注入材Ｔは、地下水採取ボード１と地盤の間にできた隙間に流れるのではなく、地盤中に浸透して、地下水（水）が通りぬけない層Ｓを地盤中に形成する。
【００４１】
続いて、ボード挿入管２を引き抜いて、図１０Ｂに示すように、所定の開口部１５（２つの開口部１５のうちの上側の開口部１５）の上までボード挿入管２を引き抜いたときに、開口部１５から地盤中に地盤注入材Ｔを噴射して、地下水が通りぬけない層Ｓを地盤中に形成する。
これにより、地盤中の所定の位置（深度）に地下水が通りぬけない層Ｓを形成して、地盤中において所定の深度毎に区画することができる。
【００４２】
この所定の深度毎に区画する方法では、地盤中に投入する材料が地盤注入材Ｔの一種類だけであるから、作業が容易である。また、地盤注入材Ｔの地盤中への噴射も、地下水採取ボード１の長孔１２及び開口部１５を使用することから、極めて簡単に行うことができる。
【００４３】
なお、所定の開口部１５（２つの開口部１５）から地盤中に地盤注入材Ｔを噴射する場合、ボード挿入管２を引き抜きながら行っていたが、これに限定されるものではなく、ボード挿入管２の引き抜き完了後（ボード挿入管２を地上に引く抜いた後）に所定の開口部１５から地盤注入材Ｔを噴射するようにしてもよい。
また、地盤注入材Ｔの地盤中への噴射は、地下水採取ボード１の長孔１２及び開口部１５を使用しているが、これに限定されるものではなく、例えば、ボード挿入管２において、ボード挿入管２の左右の両側に材料投入管２３を取り付け、材料投入管２３を使用して、ここから地盤注入材Ｔを地盤中に噴射するようにしてもよい。
【符号の説明】
【００４４】
１…地下水採取ボード、２…ボード挿入管、３…建設機械、１０…長孔、１１…芯材、１２…シート材、１３…フィルター、１４…アンカー、１５…開口部、１６…吸水ホース、１７…遮断部材、２１…出し入れ口、２２…出し入れ口、２３…材料投入管、２４…投入口、２６…供給ホース、３１…機体、３２…ブーム、３３…アタッチメント、４１…底面部、４２…両側面部、４３…後面部、５１…孔、５２…円筒管、５３…流入孔、５５…採水装置、５６…取水口、５７…採取管、５８…区画用シール材。
【図１】
2019152045.tif 000003
【図２】
2019152045.tif 000004
【図３】
2019152045.tif 000005
【図４】
2019152045.tif 000006
【図５】
2019152045.tif 000007
【図６】
2019152045.tif 000008
【図７】
2019152045.tif 000009
【図８】
2019152045.tif 000010
【図９】
2019152045.tif 000011
【図１０】
2019152045.tif 000012
【図１１】
2019152045.tif 000013